(57)【要約】【課題】本発明は、コンテンツ情報等の画像の表示と印刷を効率的に行う。【解決手段】サイネージシステム１は、ホスト装置Ｈｓから画像データと該画像データのサイネージ装置Ｓｓにおける表示条件及びプリンタエンジン１２における印刷条件をネットワークＩ／Ｆ２４が受信すると、制御部２１が、該表示条件に基づいて画像データからサイネージ装置Ｓｓにおける画像表示に用いる表示用画像データを生成するとともに、該印刷条件に基づいて該画像データからプリンタエンジン１２における画像の印刷に用いる印刷用画像データを生成して、表示用画像データとデータＩＤで関連付けて補助記憶部２３に格納する。制御部２１は、サイネージ装置Ｓｓで表示している画像に対する印刷要求入力がサイネージ装置Ｓｓからあると、該画像に対応する印刷用画像データをデータＩＤに基づいて補助記憶部２３から読み出して、プリンタエンジン１２で印刷させる。【選択図】          図２
2015056006.tif 000002
【特許請求の範囲】
【請求項１】
画像を表示する表示手段と、
前記表示手段で表示されている画像に対する入力を受け付ける受付手段と、
被記録媒体に画像を形成出力する画像形成手段と、
外部から画像データと該画像データの前記表示手段における表示条件及び前記画像形成手段における画像形成条件を受信するデータ受信手段と、
前記表示条件に基づいて前記画像データから前記表示手段における画像表示に用いる表示用画像データを生成する表示用画像データ生成手段と、
前記画像形成条件に基づいて前記画像データから前記画像形成手段における画像形成に用いる画像形成用画像データを生成する画像形成用画像データ生成手段と、
前記表示手段の表示している画像に対する印刷要求入力を前記受付手段が受け付けると、該画像に対応する前記画像形成用画像データに基づいて前記画像形成手段に画像形成させる画像形成制御手段と、
を備えていることを特徴とする画像処理システム。
【請求項２】
画像を表示する表示装置と、画像を形成出力する画像形成装置と、を備えた画像処理システムであって、
前記画像形成装置は、
被記録媒体に画像を形成する画像形成手段と、
外部から画像データと該画像データの前記表示装置における表示条件及び前記画像形成手段における画像形成条件を受信するデータ受信手段と、
前記表示条件に基づいて前記画像データから前記表示装置における画像表示に用いる表示用画像データを生成する表示用画像データ生成手段と、
前記表示用画像データを前記表示装置に送信するデータ送信手段と、
前記画像形成条件に基づいて前記画像データから前記画像形成手段における画像形成に用いる画像形成用画像データを生成する画像形成用画像データ生成手段と、
前記表示装置から所定の印刷要求を受け取ると、前記画像形成用画像データに基づいて前記画像形成手段に画像形成させる画像形成制御手段と、
を備え、
前記表示装置は、
前記表示用画像データに基づいて画像を表示する表示手段と、
前記表示手段に表示されている画像に対する外部からの入力を受け付ける受付手段と、
前記受付手段が印刷要求入力を受け付けると、前記印刷要求を前記画像形成装置へ通知する受付通知手段と、
を備えていることを特徴とする画像処理システム。
【請求項３】
画像を表示する表示手段と、
前記表示手段で表示されている画像に対する入力を受け付ける受付手段と、
被記録媒体に画像を形成出力する画像形成手段と、
画像データと該画像データの前記表示手段における表示条件及び前記画像形成手段における画像形成条件を生成するデータ生成手段と、
前記表示条件に基づいて前記画像データから前記表示手段における画像表示に用いる表示用画像データを生成する表示用画像データ生成手段と、
前記画像形成条件に基づいて前記画像データから前記画像形成手段における画像形成に用いる画像形成用画像データを生成する画像形成用画像データ生成手段と、
前記表示手段の表示している画像に対する印刷要求入力を前記受付手段が受け付けると、前記画像形成用画像データに基づいて前記画像形成手段に画像形成させる画像形成制御手段と、
を備えていることを特徴とする画像処理システム。
【請求項４】
前記画像処理システムは、
データを保管するデータ保管手段と、
前記画像形成用画像データを、前記表示用画像データと関連付け情報で関連付けて前記データ保管手段に保管するデータ保管制御手段と、
を備え、
前記画像形成制御手段は、
前記受付手段が印刷要求入力を受け付けると、前記表示用画像データと前記関連付け情報で関連付けられて前記データ保管手段に保管されている前記画像形成用画像データに基づいて前記画像形成手段に画像形成させることを特徴とする請求項１から請求項３のいずれかに記載の画像処理システム。
【請求項５】
前記表示手段は、
サイネージ装置であることを特徴とする請求項１または請求項３記載の画像処理システム。
【請求項６】
前記表示装置は、
サイネージ装置であることを特徴とする請求項２記載の画像処理システム。
【請求項７】
被記録媒体に画像を形成出力する画像形成手段と、
外部から画像データと該画像データの外部の表示手段における表示条件及び前記画像形成手段における画像形成条件を受信するデータ受信手段と、
前記表示条件に基づいて前記画像データから前記表示手段における画像表示に用いる表示用画像データを生成する表示用画像データ生成手段と、
前記画像形成条件に基づいて前記画像データから前記画像形成手段における画像形成に用いる画像形成用画像データを生成する画像形成用画像データ生成手段と、
前記表示用画像データを前記表示手段に送信するデータ送信手段と、
前記データ送信手段の送信した前記表示用画像データに対する印刷要求が外部からあると、該表示用画像データに対応する前記画像形成用画像データに基づいて前記画像形成手段に画像形成させる画像形成制御手段と、
を備えていることを特徴とする画像形成装置。
【請求項８】
前記データ送信手段は、
外部の前記表示手段としてのサイネージ装置へ前記表示用画像データを送信し、
前記画像形成制御手段は、
前記サイネージ装置から前記印刷要求があると、前記表示用画像データに対応する前記画像形成用画像データに基づいて前記画像形成手段に画像形成させることを特徴とする請求項７記載の画像形成装置。
【請求項９】
前記画像形成装置は、
データを保管するデータ保管手段と、
前記画像形成用画像データを、前記表示用画像データと関連付け情報で関連付けて前記データ保管手段に保管するデータ保管制御手段と、
を備え、
前記画像形成制御手段は、
前記データ送信手段の送信した前記表示用画像データに対する印刷要求が外部からあると、該表示用画像データと前記関連付け情報で関連付けられて前記データ保管手段に保管されている前記画像形成用画像データに基づいて前記画像形成手段に画像形成させることを特徴とする請求項７または請求項８記載の画像形成装置。
【請求項１０】
画像を表示する画像表示処理ステップと、
前記画像表示処理ステップで表示されている画像に対する入力を受け付ける受付処理ステップと、
被記録媒体に画像を形成出力する画像形成処理ステップと、
外部から画像データと該画像データの前記画像表示処理ステップにおける表示条件及び前記画像形成処理ステップにおける画像形成条件を受信するデータ受信処理ステップと、
前記表示条件に基づいて前記画像データから前記画像表示処理ステップにおける画像表示に用いる表示用画像データを生成する表示用画像データ生成処理ステップと、
前記画像形成条件に基づいて前記画像データから前記画像形成処理ステップにおける画像形成に用いる画像形成用画像データを生成する画像形成用画像データ生成処理ステップと、
前記表示処理ステップで表示している画像に対する印刷要求入力が前記受付処理ステップによって受け付けられると、該画像に対応する前記画像形成用画像データに基づいて前記画像形成処理ステップで画像形成させる画像形成制御処理ステップと、
を有することを特徴とする画像処理方法。
【請求項１１】
制御プロセッサに、
画像を表示する画像表示処理と、
前記画像表示処理で表示されている画像に対する入力を受け付ける受付処理と、
被記録媒体に画像を形成出力する画像形成処理と、
外部から画像データと該画像データの前記画像表示処理における表示条件及び前記画像形成処理における画像形成条件を受信するデータ受信処理と、
前記表示条件に基づいて前記画像データから前記画像表示処理における画像表示に用いる表示用画像データを生成する表示用画像データ生成処理と、
前記画像形成条件に基づいて前記画像データから前記画像形成処理における画像形成に用いる画像形成用画像データを生成する画像形成用画像データ生成処理と、
前記表示処理で表示している画像に対する印刷要求入力が前記受付処理によって受け付けられると、該画像に対応する前記画像形成用画像データに基づいて前記画像形成処理で画像形成させる画像形成制御処理と、
を実行させることを特徴とする画像処理プログラム。
【発明の詳細な説明】
【技術分野】
【０００１】
本発明は、画像処理システム、画像形成装置、画像処理方法及び画像処理プログラムに関し、詳細には、コンテンツ情報等の画像の表示と印刷を効率的に行う画像処理システム、画像形成装置、画像処理方法及び画像処理プログラムに関する。
【背景技術】
【０００２】
近年、店舗、駅、公共施設等で大型ディスプレイに、各種コンテンツの電子データ（以下、画像という。）を一定間隔で表示して更新するサイネージシステム等の画像表示システムが設置されるようになってきている。
【０００３】
このような画像表示システムにおいては、画像を表示しているディスプレイに、人がタッチ操作等を行うことで、見たい情報に表示を変更したり、表示画像に関連する情報を、付属のプリンタ装置で印刷出力させることができる。
【０００４】
例えば、画像表示システムは、ディスプレイにタッチ操作されると、ディスプレイに表示されているグルメ情報に関連するクーポン情報を、付属のプリンタ装置で印刷する。
【０００５】
そして、画像表示システムは、画像データの取得方法としては、ネットワーク環境を利用して、外部サーバから定期的に画像データが配信されてくるのを取得する方法（特許文献１参照）、ＵＳＢ（Universal Serial Bus）メモリ、ＳＤ（Secure Digital）カード等の画像データの格納されている外部記憶媒体が装着されて、該外部記憶媒体から取得する方法（特許文献２参照）等がある。
【０００６】
いずれの方法であっても、画像表示システムは、外部から取得した画像データをディスプレイの表示に適した画像形式、例えば、ＪＰＥＧ（Joint Picture Engineering Group）等に画像変換して、ディスプレイに表示する。
【０００７】
そして、従来の画像表示システムは、ディスプレイで印刷を要求するタッチ操作（印刷要求操作）があると、外部から取得し表示用画像データを生成した元の画像データから印刷用の画像データ（例えば、描画データ）を生成する。画像表示システムは、生成した印刷用画像データをプリンタ装置に送信し、プリンタ装置で、該印刷用画像データに基づいて用紙等に印刷出力している。
【発明の概要】
【発明が解決しようとする課題】
【０００８】
しかしながら、上記従来技術にあっては、表示用画像データに基づいて画像を表示しているディスプレイに対する印刷要求操作があると、該表示用画像データを生成した元の画像データから印刷用画像データを生成して該印刷用画像データに基づいて印刷出力している。したがって、印刷要求があってから、元の画像データから印刷用画像データを生成し、その後、印刷用画像データをプリンタ装置に送信して、プリンタ装置で用紙に印刷出力することとなる。その結果、印刷要求があってから印刷が完了するまでの待ち時間が長く、利用性が悪いという問題があった。
【０００９】
そこで、本発明は、表示画像に対して印刷要求があってから画像を印刷出力するまでの待ち時間を短縮して、利用性を向上させることを目的としている。
【課題を解決するための手段】
【００１０】
上記目的を達成するために、請求項１記載の画像処理システムは、画像を表示する表示手段と、前記表示手段で表示されている画像に対する入力を受け付ける受付手段と、
被記録媒体に画像を形成出力する画像形成手段と、外部から画像データと該画像データの前記表示手段における表示条件及び前記画像形成手段における画像形成条件を受信するデータ受信手段と、前記表示条件に基づいて前記画像データから前記表示手段における画像表示に用いる表示用画像データを生成する表示用画像データ生成手段と、前記画像形成条件に基づいて前記画像データから前記画像形成手段における画像形成に用いる画像形成用画像データを生成する画像形成用画像データ生成手段と、前記表示手段の表示している画像に対する印刷要求入力を前記受付手段が受け付けると、該画像に対応する前記画像形成用画像データに基づいて前記画像形成手段に画像形成させる画像形成制御手段と、を備えていることを特徴としている。
【発明の効果】
【００１１】
本発明によれば、表示画像に対して印刷要求があってから画像を印刷出力するまでの待ち時間を短縮して、利用性を向上させることができる。
【図面の簡単な説明】
【００１２】
【図１】本発明の一実施例を適用したサイネージシステムの構成図。
【図２】画像形成装置のブロック構成図。
【図３】データ管理テーブルの一例を示す図。
【図４】画像形成装置の機能ブロック図
【図５】サイネージシステムにおける処理の流れを示す図。
【図６】ホスト装置の保管している画像データの一例を示す図。
【図７】サイネージ設定画面の一例を示す図。
【図８】サイネージ装置における画像表示の一例を示す図。
【図９】中間データとして保管されている印刷用画像データの一例を示す図。
【図１０】印刷結果の一例を示す図。
【図１１】サイネージ付き印刷要求データ制御処理を示すフローチャート。
【図１２】印刷制御処理を示すフローチャート。
【発明を実施するための形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図１２は、本発明の画像処理システム、画像形成装置、画像処理方法及び画像処理プログラムの一実施例を示す図であり、図１は、本発明の画像処理システム、画像形成装置、画像処理方法及び画像処理プログラムの一実施例を適用したサイネージシステム１のブロック構成図である。
【００１５】
図１において、画像処理システムとしてのサイネージシステム１は、ネットワークＮＷ上に、画像形成装置Ｇｋ、サイネージ装置（表示手段、表示装置）Ｓｓ及びホスト装置（データ生成手段）Ｈｓが接続されている。ネットワークＮＷは、有線または無線あるいは有線と無線の双方のＴＣＰ／ＩＰ等のプロトコルを用いたＬＡＮ（Local Area Network）、インターネット、ＵＳＢケーブル等の通信ケーブル等が用いられている。なお、ネットワークＮＷは、ホスト装置Ｈｓと画像形成装置Ｇｋとの間と、画像形成装置Ｇｋとサイネージ装置Ｓｓとの間が、同じネットワークＮＷで接続されている必要はない。例えば、ホスト装置Ｈｓと画像形成装置Ｇｋが、インターネットやＬＡＮ等で接続され、画像形成装置Ｇｋとサイネージ装置Ｓｓが、ＵＳＢケーブル等で接続されていてもよい。
【００１６】
サイネージシステム１は、ホスト装置Ｈｓが、サイネージさせるための元の画像データと該画像データの表示条件及び印刷条件（画像形成条件）からなる出力条件とをネットワークＮＷを介して画像形成装置Ｇｋに送信する。この表示条件は、元の画像データからサイネージ装置Ｓｓで画像を表示するための表示用画像データを生成する際の条件であり、データ形式、画素密度、表示時間等である。印刷条件は、元の画像データから画像形成装置Ｇｋにおいて画像を印刷出力するための印刷用画像データ（画像形成用画像データ）を生成する際の条件であり、データ形式、部数、両面、後処理（ステープル等）、画素密度、カラー／白黒、両面／片面等である。
【００１７】
ホスト装置Ｈｓは、例えば、サイネージ装置等が用いられ、通常のハードウェア構成及びソフトウェア構成のコンピュータに、サイネージシステム１のホスト装置Ｈｓとして必要なソフトウェアが搭載されている。
【００１８】
ホスト装置Ｈｓは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の画像処理方法を実行する画像処理プログラムのうち、ホスト装置Ｈｓが実行すべき部分のプログラムを読み込んでＲＯＭやハードディスク等に導入することで、後述する表示画像に対して印刷要求があってから画像を印刷出力するまでの待ち時間を短縮して、利用性を向上させる画像処理方法を実行する基本データ生成手段として構築されている。この画像処理プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００１９】
すなわち、ホスト装置Ｈｓは、サイネージシステム１で処理させる画像が、ユーザによって選択指定されると、画像を画像形成装置Ｇｋが解釈可能な適宜の形式（例えば、ＰＤＬ（Page Description Language：ページ記述言語）形式）の画像データを生成する。ホスト装置Ｈｓは、この画像データの生成を、通常、プリンタドライバにおいて行う。また、ホスト装置Ｈｓは、この画像データから画像形成装置Ｇｋで印刷出力する際の上記印刷条件及びサイネージ装置Ｓｓで表示する際の上記表示条件を、例えば、プリンタドライバの設定画面を提示して、ユーザの設定に応じて決定する。ホスト装置Ｈｓは、画像データの生成と印刷条件及び表示条件からなる出力条件情報を生成すると、ＰＤＬ形式のデータとしてネットワークＮＷを介して画像形成装置Ｇｋに送信する。
【００２０】
サイネージ装置Ｓｓは、画像を表示するＬＣＤ（Liquid Crystal Display）等のディスプレイ（表示手段）と、画像形成装置ＧＫから送信されてきた表示用画像データに基づいて画像をディスプレイに表示させる表示制御部と、該ディスプレイに表示されている画像に関連する入力（操作）を受け付ける操作部（受付手段）と、操作部の受け付けた操作内容に応じた処理を行う操作応答制御部（受付通知手段）と、を備えている。
【００２１】
そして、サイネージ装置Ｓｓは、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＳＤカード、ＭＯ等のコンピュータが読み取り可能な記録媒体に記録されている本発明の画像処理方法を実行する画像処理プログラムのうち、サイネージ装置Ｓｓが実行すべき部分のプログラムを読み込んで内部メモリ等に導入することで、後述する表示画像に対して印刷要求があってから画像を印刷出力するまでの待ち時間を短縮して、利用性を向上させる画像処理方法を実行する受付手段を有する表示手段または表示装置として構築されている。この画像処理プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００２２】
そして、サイネージ装置Ｓｓの操作部は、例えば、ディスプレイの表面に配設されたタッチパネルが用いられ、ディスプレイに表示されるボタン項目にタッチ操作することで、ボタン項目に割り付けられている操作として検出する。操作応答制御部は、操作部による操作内容が、例えば、表示画像の指定であると、指定された画像を表示制御部によってディスプレイへ表示させ、表示中の画像に対する印刷要求操作であると、後述する該表示中の画像の表示用画像データに割り当てられているデータＩＤと印刷要求または該データＩＤの組み込まれている該表示用画像データを画像形成装置Ｇｋに送信する。
【００２３】
画像形成装置Ｇｋは、後述するように、表示条件に基づいて、画像データから表示用画像データを生成してネットワークＮＷを介してサイネージ装置Ｓｓに送信する。また、画像形成装置Ｇｋは、同時に、印刷条件に基づいて、画像データから印刷用画像データを生成して内部に保管する。画像形成装置Ｇｋは、表示用画像データと印刷用画像データをデータＩＤ（関連付け情報）で関連付けて管理する。
【００２４】
すなわち、画像形成装置Ｇｋは、図２に示すようにブロック構成されており、コントローラ１１、プリンタエンジン１２及び操作パネル１３等を備えている。
【００２５】
プリンタエンジン（画像形成手段）１２は、例えば、電子写真式プリンタ、インクジェットプリンタ等のプリンタエンジンが使用されている。
【００２６】
プリンタエンジン１２は、ホスト装置Ｈｓから送られてきてコントローラ１１で処理された描画データ及び制御信号に基づいて、給紙部から送られてくる用紙（被記録媒体）に画像を印刷出力（画像形成）して、印刷済みの用紙を、排紙トレイ上に排出する。すなわち、プリンタエンジン１２は、電子写真方式のエンジンの場合、図示しないが、電子写真方式で用紙に描画データに基づいて印刷処理を行うのに必要な部品、例えば、感光体、帯電部、光書き込み部、現像部、転写部及びクリーニング部等からなる画像形成ユニットを備えている。プリンタエンジン１２は、カラープリンタエンジンであるときには、画像形成ユニットをカラー分、例えば、ＣＭＹＫ分だけ備えている。プリンタエンジン１２は、描画データ及び制御信号により光書込部を動作させて、帯電部による一様に帯電されている感光体上に静電潜像を形成して、現像部によりトナーを感光体上に供給して現像してトナー画像を形成する。プリンタエンジン１２は、給紙部から用紙を感光体と転写部との間に給紙して、感光体上のトナー画像を転写部によって用紙に転写させ、トナー画像の転写された用紙を定着部に搬送して、定着部で加熱・加圧して用紙上のトナー画像を定着させることで、印刷処理を行う。
【００２７】
操作パネル１３は、各種操作キー、各種ランプ及びディスプレイ等を備えており、操作キーは、ユーザによって、プリント操作等の画像形成装置Ｇｋの備えている各種動作要求操作に使用される。また、操作パネル１３は、ユーザを特定するユーザ特定情報、例えば、ユーザＩＤの入力操作等に使用されて、操作内容がコントローラ１１によって検出される。操作パネル１３は、コントローラ１１の制御下で、画像形成装置Ｇｋの動作状況の表示、操作パネル１３のキー操作内容及び画像形成装置Ｇｋからユーザに通知する各種情報を表示出力する。
【００２８】
コントローラ１１は、制御部２１、主記憶部２２、補助記憶部２３、ネットワークＩ／Ｆ２４、パネルＩ／Ｆ２５及び出力Ｉ／Ｆ２６等を備えており、各部は、バス２７で接続されている。
【００２９】
ネットワークＩ／Ｆ（データ受信手段）２４は、ネットワークＮＷを介してホスト装置Ｈｓに接続されており、ホスト装置Ｈｓと通信して、主に、ホスト装置Ｈｓから画像データ及び表示条件と印刷条件からなる出力条件を受信する。ネットワークＩ／Ｆ２４は、受信した画像データ及び出力条件を制御部２１に渡す。
【００３０】
パネルＩ／Ｆ２５は、上記操作パネル１３に接続されており、制御部２１と操作パネル１３との間のデータの授受を行う。
【００３１】
出力Ｉ／Ｆ（データ送信手段）２６は、サイネージ装置Ｓｓとプリンタエンジン１２に接続されており、制御部２１の制御下で、データや信号の通信先を、サイネージ装置Ｓｓとプリンタエンジン１２とに切り替える。
【００３２】
主記憶部２２は、ＲＯＭ（Read Only Memory）、ＲＡＭ（Random Access Memory）等で構成され、プログラム及びシステムデータを格納し、また、ワークメモリとして利用される。
【００３３】
制御部（表示用画像データ生成手段、画像形成用画像データ生成手段、画像形成制御手段、データ保管制御手段）２１は、ＣＰＵ（Central Processing Unit ）等で構成されている。制御部２１は、主記憶部２２のプログラムに基づいて画像形成装置Ｇｋの各部を制御して、本発明のサイネージシステム１における画像形成装置としての機能を実行する。特に、制御部２１は、ネットワークＩ／Ｆ２４がホスト装置Ｈｓから受信した画像データを、表示条件に基づいて、サイネージ装置Ｓｓで表示するための表示用画像データを生成する。制御部２１は、表示用画像データを生成する際、少なくとも画像や画像関連情報を印刷できる旨の印刷可能情報を文字情報（例えば、「印刷できます。」等）として付加する。画像形成装置Ｇｋは、この文字情報を予め補助記憶部２３等に保管しており、制御部２１が、表示用画像データの先頭等にこの文字情報を付加する。また、制御部２１は、画像データを、印刷条件に基づいて、プリンタエンジン１２で印刷出力するための印刷用画像データを生成し、補助記憶部２３に格納する。制御部２１は、印刷用画像データを補助記憶部２３に格納する際に、同じ画像データから生成した表示用画像データと該印刷用画像データとを関連付けるデータＩＤ（関連付け情報）を双方のデータに付与して、管理する。
【００３４】
補助記憶部（データ保管手段）２３は、ハードディスク（ＨＤＤ）等で構成され、ホスト装置Ｈｓから送信されてきた画像データ、上記印刷用画像データを格納する。また、補助記憶部２３は、制御部２１の制御下で、図３に示すようなデータ管理テーブルＴｂを保管しており、データ管理テーブルＴｂは、印刷用画像データと表示用画像データを関連付けて管理するのに制御部２１によって使用される。データ管理テーブルＴｂは、例えば、図３に示すように、表示順ＩＤ、データＩＤ、文書データ、総ページ数、印刷条件（部数、両面、ステープル等）が登録される。表示順ＩＤは、サイネージ装置Ｓｓへ表示する順序を示すＩＤである。データＩＤは、サイネージ装置Ｓｓで印刷要求操作が行われたときに、該印刷要求操作の対象となった表示用画像データと印刷用画像データを関連付けるＩＤである。文書データは、印刷用画像データを示している。
【００３５】
そして、画像形成装置Ｇｋは、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＳＤカード、ＭＯ等のコンピュータが読み取り可能な記録媒体に記録されている本発明の画像処理方法を実行する画像処理プログラムのうち、画像形成装置Ｇｋが実行すべき部分のプログラムを読み込んで主記憶部２２、補助記憶部２３等に導入することで、後述する表示画像に対して印刷要求があってから画像を印刷出力するまでの待ち時間を短縮して、利用性を向上させる画像処理方法を実行する画像形成装置として構築されている。この画像処理プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００３６】
画像形成装置Ｇｋは、上記画像処理プログラムが導入されることで、図４に示すような機能ブロックが構築される。すなわち、画像形成装置Ｇｋは、図４に示すように、ＰＤＬ解釈描画機能部３１、蓄積印刷機能部３２、サイネージ出力機能部３３、記憶機能部３４、蓄積データ呼出機能部３５及び印刷機能部３６等が構築される。
【００３７】
ＰＤＬ解釈描画機能部３１は、制御部２１等で構築され、ホスト装置から送信されてきたＰＤＬデータ（画像データと出力条件のＰＤＬデータ）に含まれるコマンドを解析する。ＰＤＬ解釈描画機能部３１は、描画オブジェクト及び描画オブジェクトの属性（描画オブジェクトの種類、座標、色彩等）を示す情報を含む中間データを生成し、蓄積印刷機能部３２に渡す。
【００３８】
蓄積印刷機能部３２は、制御部２１等で構築され、ＰＤＬ解釈描画機能部３１が生成した中間データまたは最終データを印刷用画像データとして、記憶機能部３４へ格納する。最終画像データは、中間データから印刷機能部３６がそのまま印刷出力可能な形式に変換されたデータであり、例えば、ラスタデータ等である。また、蓄積印刷機能部３２は、印刷用画像データを記憶機能部３４へ格納する際に、上記データ管理テーブルＴｂを生成して、印刷条件（部数、両面印刷、ステープル、パンチ等）を関連付けて保管する。
【００３９】
サイネージ出力機能部３３は、制御部２１等で構築され、ＰＤＬ解釈描画機能部３１が生成した中間データからサイネージ装置Ｓｓが出力可能な画像形式に変換したデータ（例えば、ＪＰＥＧデータ等）を表示用画像データとして生成する。サイネージ出力機能部３３は、この際、上述のように、少なくとも画像や画像関連情報を印刷できる旨の印刷可能情報等の文字情報（例えば、「印刷できます。」等）を表示用画像データに付加する。さらに、サイネージ出力機能部３３は、同じ画像データから生成された印刷用画像データと表示用画像データを関連付けるデータＩＤを双方のデータに付与して、管理する。サイネージ出力機能部３３は、このデータＩＤを表示用画像データに付与する場合、例えば、表示用画像データがＪＰＥＧのときには、ＪＰＥＧのＣＯＭセグメントとして、埋め込む方法を用いることができる。サイネージ出力機能部３３は、上記文字情報及びデータＩＤを付加した表示用画像データをサイネージ装置Ｓｓに送信する。
【００４０】
なお、蓄積印刷機能部３２は、このデータＩＤを上記データ管理テーブルＴｂに登録する。
【００４１】
記憶機能部３４は、補助記憶部２３により構築され、上記画像データと出力条件、中間データまたは最終データである印刷用画像データ及びデータ管理テーブルＴｂを保管する。
【００４２】
蓄積データ呼出機能部３５は、制御部２１等により構築され、サイネージ装置ＳｓからデータＩＤと印刷要求を受け取ると、該データＩＤに基づいて、記憶機能部３４に格納されている印刷用画像データ及び印刷条件を呼び出して、印刷機能部３６に渡す。なお、蓄積データ呼出機能部３５は、記憶機能部３４に格納されている印刷用画像データが中間データのときには、蓄積印刷機能部３２に最終データに変換させた後、印刷機能部３６へ渡す。
【００４３】
印刷機能部３６は、プリンタエンジン１２により構築され、蓄積データ呼出機能部３５から渡される印刷用画像データ及び印刷条件に基づいて用紙に画像を印刷出力する。
【００４４】
次に、本実施例の作用について説明する。本実施例のサイネージシステム１は、表示画像に対して印刷要求があってから画像を印刷出力するまでの待ち時間を短縮して、利用性を向上させる。
【００４５】
すなわち、サイネージシステム１は、図５に処理流れを示すように、まず、ホスト装置Ｈｓにおいて、ユーザによって、処理対象の画像が選択され、印刷条件と表示条件の出力条件が設定される。ホスト装置Ｈｓは、その搭載するプリンタドライバが、処理対象画像の画像データ及び出力条件とサイネージ付き印刷指示を、例えば、ＰＤＬデータとして生成して、ネットワークＮＷを介して画像形成装置Ｇｋに送信する（Ｓ１）。ホスト装置Ｈｓは、例えば、図６に示すような７ページの画像データを内部メモリに保管している場合、サイネージ設定において、プリンタドライバが、例えば、図７に示すようなサイネージ設定画面Ｇ１をディスプレイに表示する。なお、図６では、Ａ４サイズの画像が７ページ分保管されている場合が示されているが、これは一例である。
【００４６】
ユーザは、サイネージ設定画面Ｇ１において、必要な設定項目を設定することで、表示条件と印刷条件を設定する。図７では、サイネージへの表示の有無、印刷対象ページ、表示間隔、ステープルの有無、両面印刷の有無、集約印刷の設定（図７では、「１／２」）、印刷部数（図７では、「２」）等を設定可能となっている。なお、図７では、保管されている７ページのうち、１ページから３ページまでの画像データに対してのみ、サイネージ指示（表示指示）が行われている。
【００４７】
画像形成装置Ｇｋは、画像データ及び出力条件（表示条件と印刷条件）とサイネージ付き印刷指示が送信されてくると、ネットワークＩ／Ｆ２４で受信し、制御部２１が、ＰＤＬ解析を行う。制御部２１は、表示条件に基づいて表示用画像データ（例えば、ＪＰＥＧデータ）を生成し（Ｓ２）、印刷条件に基づいて印刷用画像データ（例えば、中間データまたは最終データ）を生成する。制御部２１は、表示用画像データと印刷用画像データをデータＩＤで関連付け、印刷用画像データを補助記憶部２３等に保管する（Ｓ３）。
【００４８】
画像形成装置Ｇｋは、表示用画像データの生成においては、上述のように、表示用画像データがＪＰＥＧの場合、ＪＰＥＧのＣＯＭセグメントとして、データＩＤを埋め込むことができる。また、画像形成装置Ｇｋは、表示用画像データの生成においては、さらに、少なくとも画像や画像関連情報を印刷できる旨の印刷可能情報を文字情報（例えば、「印刷できます。」等）として付加する。
【００４９】
画像形成装置Ｇｋは、制御部２１の制御下で、出力Ｉ／Ｆ２６をサイネージ装置Ｓｓに接続させ、データＩＤ及び文字情報の付加された表示用画像データをサイネージ装置Ｓｓに送信（転送）する（Ｓ４）。
【００５０】
サイネージ装置Ｓｓは、例えば、図８に示すように、転送されてきた表示用画像データに基づいて、ディスプレイに画像を、表示条件に従って表示する。サイネージ装置Ｓｓは、図８の場合、３ページ分の画像を１５秒ずつ表示して切り替える。また、サイネージ装置Ｓｓは、表示用画像データに基づく画像のディスプレイへの表示においては、図８に示すように、印刷可能である旨の文字情報の表示を行う（Ｓ５）。
【００５１】
サイネージ装置Ｓｓは、ディスプレイ等に表示させている画像に対して、タッチ操作等によって印刷指示が行われると、該印刷指示操作を受け付け（Ｓ６）、少なくとも印刷指示があった旨とその画像データのデータＩＤを画像形成装置Ｇｋに送信する（Ｓ７）。この場合、サイネージ装置Ｓｓは、表示用画像データがＪＰＥＧの場合、データＩＤの埋め込まれている該表示用画像データを画像形成装置Ｇｋに送り返してもよい。
【００５２】
画像形成装置Ｇｋは、印刷指示要求がサイネージ装置Ｓｓからあると、該印刷指示要求で指定されているデータＩＤに対応する印刷用画像データを、印刷条件とともに補助記憶部２３から取り出す。画像形成装置Ｇｋは、この印刷用画像データを、例えば、図９に示すように、中間データとして格納している。画像形成装置Ｇｋは、中間データから最終データを生成して、プリンタエンジン１２へ該最終データと印刷条件に応じた制御信号とともに渡してプリンタエンジン１２に印刷させる（Ｓ８）。画像形成装置Ｇｋは、この印刷用画像データに基づく印刷を、例えば、図１０に示すように、印刷条件に応じて印刷出力する。なお、図１０では、集約で、かつ、両面印刷を２部行い、さらに、１部ずつステープルした状態の印刷結果が示されている。
【００５３】
そして、画像形成装置Ｇｋは、図１１に示すように、サイネージ付き印刷要求データ制御処理を行い、図１２に示すように、サイネージ装置Ｓｓからの印刷要求に応じた印刷制御処理を行う。
【００５４】
まず、画像形成装置におけるサイネージ付き印刷要求データ制御処理を、図１１に基づいて説明する。画像形成装置Ｇｋは、ホスト装置Ｈｓからサイネージ付き印刷要求をネットワークＩ／Ｆ２４が受信すると、制御部２１が、サイネージ付き印刷要求を解釈する（ステップＳ１０１）。すなわち、制御部２１は、印刷要求が、サイネージ表示指定が行われており、サイネージ対象であるページ番号、サイネージでの画像の表示時間間隔等の指定があると、これらを解釈し、主記憶部２２等に一時保管する。
【００５５】
次に、制御部２１は、サイネージ付き印刷要求の印刷データの解釈を開始する（ステップＳ１０２）。制御部２１は、この印刷データの解釈については、例えば、印刷データがＰＤＬデータであると、ＰＤＬの解析を開始することになる。
【００５６】
制御部２１は、いま、サイネージ付き印刷要求であるので、即時印刷ではなく、サイネージの結果、印刷要求があると印刷する印刷データであると解釈して、蓄積印刷として設定する（ステップＳ１０３）。
【００５７】
制御部２１は、ＰＤＬデータを解釈して、印刷条件を取得する（ステップＳ１０４）。この印刷条件は、例えば、上述のように、印刷対象ページ、ステープルの有無、両面印刷の有無、集約印刷の設定、印刷部数等である。
【００５８】
制御部２１は、取得した印刷条件を、図３に示したデータ管理テーブルＴｂに登録し、データＩＤを設定する（ステップＳ１０５）。
【００５９】
制御部２１は、解釈対象のページがサイネージ対象の画像として指示されているか確認し（ステップＳ１０６）、解釈対象のページがサイネージ対象の画像に指定されているかチェックする（ステップＳ１０７）。
【００６０】
ステップＳ１０７で、解釈対象のページがサイネージ対象の画像に指定されていると（ステップＳ１０７で、ＹＥＳのとき）、制御部２１は、該ページの画像データを、サイネージ装置Ｓｓでの表示に適した表示用画像データに変換する（ステップＳ１０８）。制御部２１は、この表示用画像データとして、例えば、ＪＰＥＧ等の画像データに変換するとともに、サイネージ装置Ｓｓでの表示に適した画素密度に変換する。
【００６１】
そして、制御部２１は、変換した表示用画像データに、ステップＳ１０５で取得したデータＩＤを付加する（ステップＳ１０９）。制御部２１は、この場合、表示用画像データのデータ形式が、ＪＰＥＧであるときには、例えば、上述のように、ＪＰＥＧのＣＯＭセグメントとして、データＩＤを埋め込む。
【００６２】
制御部２１は、対象ページを、印刷用画像データ（中間データまたは最終データ）に変換し、補助記憶部２３に保管する（ステップＳ１１０）。
【００６３】
また、制御部２１は、ステップＳ１０７で、対象ページがサイネージ対象の画像に指定されていないとき（ステップＳ１０７で、ＮＯのとき）、該ページの画像データを、印刷用画像データに変換し、補助記憶部２３に保管する（ステップＳ１１０）。すなわち、制御部２１は、画像データがサイネージ対象であっても、サイネージ対象でないときであっても、全てのページを印刷用画像データに変換して補助記憶部２３に保管する。
【００６４】
次に、制御部２１は、残りのページがあるかチェックし（ステップＳ１１１）、残りのページがあると（ステップＳ１１１で、ＹＥＳのとき）、ステップＳ１０６に戻って、次のページについて、上記同様に処理する（ステップＳ１０６〜Ｓ１１１）。なお、印刷要求がＰＤＬであるときには、制御部２１は、データが終端までいくことで、対象ページが全て終了したことを確認することができる。
【００６５】
ステップＳ１１１で、残りのページがないとき（ステップＳ１１１で、ＮＯのとき）、制御部２１は、データＩＤを付加した表示用画像データ及び表示条件をサイネージ装置Ｓｓに転送してサイネージ付き印刷要求データ制御処理を終了する（ステップＳ１１２）。
【００６６】
そして、画像形成装置Ｇｋは、サイネージ装置Ｓｓから印刷要求があると、図１２に示すように、印刷制御処理を実行する。すなわち、画像形成装置Ｇｋは、出力Ｉ／Ｆ２６がサイネージ装置Ｓｓから印刷要求を受信すると、制御部２１が、図１２に示すように、該印刷要求に含まれるデータＩＤを読み取る（ステップＳ２０１）。なお、サイネージ装置Ｓｓは、表示用画像データがＪＰＥＧのときには、印刷要求のあったデータＩＤの埋め込まれている表示用画像データ自体を、画像形成装置Ｇｋに送信してもよい。この場合、画像形成装置Ｇｋは、該表示用画像データからデータＩＤを取り出す。
【００６７】
制御部２１は、データＩＤに基づいて、図３に示したデータ管理テーブルＴｂを参照して該データＩＤに対応する印刷用画像データを参照する（ステップＳ２０２）。
【００６８】
制御部２１は、データＩＤに対応する印刷用画像データがデータ管理テーブルＴｂに登録されているか、すなわち、該印刷用画像データが補助記憶部２３に保管されているかチェックする（ステップＳ２０３）。
【００６９】
ステップＳ２０３で、データＩＤに対応する印刷用画像データが登録されていると（ステップＳ２０３で、ＹＥＳのとき）、制御部２１は、該当する印刷用画像データと印刷条件を読み出してプリンタエンジン１２に渡す。すなわち、制御部２１は、該当する印刷用画像データと印刷条件を補助記憶部２３から読み出して、必要なデータ処理、例えば、該印刷用画像データが中間データであると、最終データにデータ変換し、印刷条件に応じた印刷制御信号を生成して、プリンタエンジン１２に渡す。プリンタエンジン１２は、該印刷用画像データと印刷制御信号に基づいて駆動して、用紙に画像を印刷出力し、印刷制御処理を終了する（ステップＳ２０４）。
【００７０】
また、ステップＳ２０３で、データＩＤに対応する印刷用画像データがないときには、制御部２１は、該当する印刷用画像データがない旨を、操作パネル１３のディスプレイに表示出力する等の方法で、通知（提示）する。制御部２１は、印刷用画像データがない旨を通知すると、印刷制御処理を終了する（ステップＳ２０５）。
【００７１】
なお、上記説明においては、サイネージシステム１が、ネットワークＮＷ等で接続されたホスト装置Ｈｓ、画像形成装置Ｇｋ及びサイネージ装置Ｓｓで構成されているが、サイネージシステム１の構成としては、これらに限るものではない。例えば、画像形成装置Ｇｋとサイネージ装置Ｓｓのみで、サイネージシステムが構成され、画像形成装置Ｇｋに外部メモリ等が挿入されて、該外部メモリに保管されている画像データ及び表示条件と印刷条件が画像形成装置Ｇｋに取り込まれるようになっていてもよい。
【００７２】
また、サイネージシステム１は、外部から画像データと該画像データ画像の前記表示手段での表示条件及び前記画像形成手段での画像形成条件を受信するデータ受信手段と、前記表示条件に基づいて前記画像データから前記表示手段で表示に利用する表示用画像データを生成する表示用画像データ生成手段と、前記画像形成条件に基づいて前記画像データから前記画像形成手段で画像形成に用いる画像形成用画像データを生成する画像形成用画像データ生成手段と、前記表示手段の表示している画像に対して前記受付手段が入力を受け付けると、該画像に対応する前記画像形成用画像データに基づいて前記画像形成手段に画像形成させる画像形成制御手段と、を備えている画像形成装置Ｇｋとなっているが、これらの各手段を画像形成装置Ｇｋが備えている構成に限るものではない。例えば、これらの各手段を、ネットワークＮＷ上の他の装置が個別に、あるいは、いくつかの手段をまとめて搭載していてもよい。
【００７３】
さらに、上記説明では、画像処理システムとして、サイネージシステム１を取り上げ、表示手段がサイネージ装置Ｓｓである場合について説明したが、画像処理システムは、サイネージシステムに限るものではない。例えば、画像形成装置とプロジェクタとを組み合わせて、プロジェクタの表示画面に対する印刷指示に応じて画像形成装置が画像を印刷出力する会議システム等にも同様に適用することができる。
【００７４】
このように、本実施例のサイネージシステム（画像処理システム）１は、画像を表示するサイネージ装置Ｓｓのディスプレイ（表示手段）と、該ディスプレイで表示されている画像に対する入力を受け付ける操作部（受付手段）と、用紙（被記録媒体）に画像を印刷出力（形成出力）するプリンタエンジン（画像形成手段）１２と、外部から画像データと該画像データの前記ディスプレイにおける表示条件及び前記プリンタエンジン１２における印刷条件（画像形成条件）を受信するネットワークＩ／Ｆ（データ受信手段）２４と、前記表示条件に基づいて前記画像データから前記ディスプレイにおける画像表示に用いる表示用画像データを生成する制御部（表示用画像データ生成手段）２１と、前記印刷条件に基づいて前記画像データから前記プリンタエンジン１２における画像の印刷に用いる印刷用画像データ（画像形成用画像データ）を生成する制御部（画像形成用画像データ生成手段）２１と、前記ディスプレイの表示している画像に対する印刷要求入力を前記操作部が受け付けると、該画像に対応する前記印刷用画像データに基づいて前記プリンタエンジン１２に画像を印刷させる制御部（画像形成制御手段）２１と、を備えている。
【００７５】
したがって、サイネージ装置Ｓｓのディスプレイに表示されている画像に対して印刷要求入力がタッチパネル等の操作部の操作等によって発生すると、画像形成装置Ｇｋが自機の保有する該画像に対応する印刷用画像データに基づいて印刷することができる。その結果、表示画像に対して印刷要求があってから画像を印刷出力するまでの待ち時間を短縮して、利用性を向上させることができる。
【００７６】
また、本実施例のサイネージシステム１は、画像を表示するサイネージ装置（表示装置）Ｓｓと、画像を形成出力する画像形成装置Ｇｋと、を備えた画像処理システムであって、前記画像形成装置Ｇｋが、用紙（被記録媒体）に画像を印刷（形成）するプリンタエンジン（画像形成手段）１２と、外部から画像データと該画像データのサイネージ装置Ｓｓにおける表示条件及びプリンタエンジン１２における印刷条件（画像形成条件）を受信するネットワークＩ／Ｆ（データ受信手段）２４と、前記表示条件に基づいて前記画像データからサイネージ装置Ｓｓにおける画像表示に用いる表示用画像データを生成する制御部（表示用画像データ生成手段）２１と、前記表示用画像データをサイネージ装置Ｓｓに送信する出力Ｉ／Ｆ（データ送信手段）２６と、前記印刷条件に基づいて前記画像データからプリンタエンジン１２における印刷出力（画像形成）に用いる印刷用画像データ（画像形成用画像データ）を生成する制御部（画像形成用画像データ生成手段）２１と、サイネージ装置Ｓｓから所定の印刷要求を受け取ると、前記印刷用画像データに基づいてプリンタエンジン１２に画像を印刷させる制御部（画像形成制御手段）２１と、を備え、サイネージ装置Ｓｓが、前記表示用画像データに基づいて画像を表示するディスプレイ（表示手段）と、該ディスプレイに表示されている画像に対する外部からの入力を受け付ける操作部（受付手段）と、前記操作部が印刷要求入力を受け付けると、前記印刷要求を前記画像形成装置Ｇｋへ通知する操作応答制御部（受付通知手段）と、を備えている。
【００７７】
したがって、画像形成装置Ｇｋとサイネージ装置Ｓｓが接続されている場合に、サイネージ装置Ｓｓのディスプレイに表示されている画像に対して印刷要求入力がタッチパネル等の操作部の操作等によって発生すると、サイネージ装置Ｓｓから印刷要求を画像形成装置Ｇｋに送って、画像形成装置Ｇｋが自機の保有する該画像に対応する印刷用画像データに基づいて印刷することができる。その結果、表示画像に対して印刷要求があってから画像を印刷出力するまでの待ち時間を短縮して、利用性を向上させることができる。
【００７８】
さらに、本実施例のサイネージシステム１は、画像を表示するサイネージ装置Ｓｓのディスプレイ（表示手段）と、前記ディスプレイで表示されている画像に対する入力を受け付けるサイネージ装置Ｓｓの操作部（受付手段）と、用紙（被記録媒体）に画像を印刷（形成出力）するプリンタエンジン（画像形成手段）１２と、画像データと該画像データの前記ディスプレイにおける表示条件及び前記プリンタエンジン１２における印刷条件（画像形成条件）を生成するホスト装置（データ生成手段）Ｈｓと、前記表示条件に基づいて前記画像データから前記ディスプレイにおける画像表示に用いる表示用画像データを生成する制御部（表示用画像データ生成手段）２１と、前記印刷条件に基づいて前記画像データから前記プリンタエンジン１２における画像の印刷（画像形成）に用いる印刷用画像データ（画像形成用画像データ）を生成する制御部（画像形成用画像データ生成手段）２１と、前記ディスプレイの表示している画像に対する印刷要求入力を前記操作部が受け付けると、前記印刷用画像データに基づいてプリンタエンジン１２に画像形成させる制御部（画像形成制御手段）２１と、を備えている。
【００７９】
したがって、画像データを生成するホスト装置Ｈｓと画像形成装置Ｇｋとサイネージ装置Ｓｓが接続されている場合に、ホスト装置Ｈｓで生成された画像データから表示用画像データと印刷用画像データを生成して、サイネージ装置Ｓｓのディスプレイに表示されている画像に対して印刷要求入力がタッチパネル等の操作部の操作等によって発生すると、サイネージ装置Ｓｓから印刷要求を画像形成装置Ｇｋに送って、画像形成装置Ｇｋが自機の保有する該画像に対応する印刷用画像データに基づいて印刷することができる。その結果、表示画像に対して印刷要求があってから画像を印刷出力するまでの待ち時間を短縮して、利用性を向上させることができる。
【００８０】
また、本実施例のサイネージシステム１は、画像を表示する画像表示処理ステップと、前記画像表示処理ステップで表示されている画像に対する入力を受け付ける受付処理ステップと、用紙（被記録媒体）に画像を形成出力する画像形成処理ステップと、外部から画像データと該画像データの前記画像表示処理ステップにおける表示条件及び前記画像形成処理ステップにおける印刷条件（画像形成条件）を受信するデータ受信処理ステップと、前記表示条件に基づいて前記画像データから前記画像表示処理ステップにおける画像表示に用いる表示用画像データを生成する表示用画像データ生成処理ステップと、前記印刷条件に基づいて前記画像データから前記画像形成処理ステップにおける画像の印刷（画像形成）に用いる印刷用画像データ（画像形成用画像データ）を生成する画像形成用画像データ生成処理ステップと、前記表示処理ステップで表示している画像に対する印刷要求入力が前記受付処理ステップによって受け付けられると、該画像に対応する前記印刷用画像データに基づいて前記画像形成処理ステップで画像を印刷させる画像形成制御処理ステップと、を有する画像処理方法を実行している。
【００８１】
したがって、サイネージ装置Ｓｓのディスプレイに表示されている画像に対して印刷要求入力がタッチパネル等の操作部の操作等によって発生すると、画像形成装置Ｇｋが自機の保有する該画像に対応する印刷用画像データに基づいて印刷することができる。その結果、表示画像に対して印刷要求があってから画像を印刷出力するまでの待ち時間を短縮して、利用性を向上させることができる。
【００８２】
さらに、本実施例のサイネージシステム１は、制御プロセッサに、画像を表示する画像表示処理と、前記画像表示処理で表示されている画像に対する入力を受け付ける受付処理と、用紙（被記録媒体）に画像を印刷（形成出力）する画像形成処理と、外部から画像データと該画像データの前記画像表示処理における表示条件及び前記画像形成処理における印刷条件（画像形成条件）を受信するデータ受信処理と、前記表示条件に基づいて前記画像データから前記画像表示処理における画像表示に用いる表示用画像データを生成する表示用画像データ生成処理と、前記印刷条件に基づいて前記画像データから前記画像形成処理における画像の印刷（画像形成）に用いる印刷用画像データ（画像形成用画像データ）を生成する画像形成用画像データ生成処理と、前記表示処理で表示している画像に対する印刷要求入力が前記受付処理によって受け付けられると、該画像に対応する前記印刷用画像データに基づいて前記画像形成処理で画像を印刷（画像形成）させる画像形成制御処理と、を実行させる画像処理プログラムを搭載している。
【００８３】
したがって、サイネージ装置Ｓｓのディスプレイに表示されている画像に対して印刷要求入力がタッチパネル等の操作部の操作等によって発生すると、画像形成装置Ｇｋが自機の保有する該画像に対応する印刷用画像データに基づいて印刷することができる。その結果、表示画像に対して印刷要求があってから画像を印刷出力するまでの待ち時間を短縮して、利用性を向上させることができる。
【００８４】
また、本実施例のサイネージシステム１は、データを保管する補助記憶部（データ保管手段）２３と、前記印刷用画像データ（画像形成用画像データ）を、前記表示用画像データとデータＩＤ（関連付け情報）で関連付けて補助記憶部２３に保管する制御部（データ保管制御手段）２１と、を備え、前記画像形成制御手段としての制御部２１が、前記受付手段としての操作部が印刷要求入力を受け付けると、前記表示用画像データと前記データＩＤで関連付けられて補助記憶部２３に保管されている前記印刷用画像データに基づいてプリンタエンジン１２に画像を印刷（画像形成）させる。
【００８５】
したがって、補助記憶部２３に印刷用画像データとデータＩＤを保管することで、表示画像に対する印刷要求に応じて、補助記憶部２３に保管されている該表示画像に対応する印刷用画像データに基づいて、速やかにかつ容易に、印刷することができる。その結果、表示画像に対して印刷要求があってから画像を印刷出力するまでの待ち時間をより一層短縮して、利用性をより一層向上させることができる。
【００８６】
さらに、本実施例の画像処理システムであるサイネージシステム１は、前記表示手段または前記表示装置が、サイネージ装置Ｓｓである。
【００８７】
したがって、画像処理システムをサイネージシステム１に適用した場合に、サイネージ装置Ｓｓのディスプレイに表示されている画像に対して印刷要求入力が該ディスプレイに設けられているタッチパネル等の操作部の操作によって入力されると、画像形成装置Ｇｋが、自機の保有する該画像に対応する印刷用画像データに基づいて印刷することができる。その結果、サイネージ装置Ｓｓのディスプレイの画像に対して印刷要求があってから画像を印刷出力するまでの待ち時間を短縮して、利用性を向上させることができる。
【００８８】
また、本実施例のサイネージシステム１の画像形成装置Ｇｋは、用紙（被記録媒体）に画像を形成出力するプリンタエンジン（画像形成手段）１２と、外部から画像データと該画像データの外部であるサイネージ装置（表示手段）Ｓｓにおける表示条件及びプリンタエンジン１２における印刷条件（画像形成条件）を受信するネットワークＩ／Ｆ（データ受信手段）２４と、前記表示条件に基づいて前記画像データから前記サイネージ装置Ｓｓにおける画像表示に用いる表示用画像データを生成する制御部（表示用画像データ生成手段）２１と、前記印刷条件に基づいて前記画像データから前記プリンタエンジン１２における画像の印刷（画像形成）に用いる印刷用画像データ（画像形成用画像データ）を生成する制御部（画像形成用画像データ生成手段）２１と、前記表示用画像データをサイネージ装置Ｓｓに送信する出力Ｉ／Ｆ（データ送信手段）２６と、出力Ｉ／Ｆ２６の送信した前記表示画像データに対する印刷要求が外部からあると、該表示画像データに対応する前記印刷用画像データに基づいてプリンタエンジン１２に画像形成させる制御部（画像形成制御手段）２１と、を備えている。
【００８９】
したがって、画像形成装置Ｇｋが外部から受け取った画像データに基づいて、サイネージ装置Ｓｓのディスプレイに表示されている画像に対して印刷要求入力が該ディスプレイに設けられているタッチパネル等の操作部の操作によって入力されると、画像形成装置Ｇｋが、自機の保有する該画像に対応する印刷用画像データに基づいて印刷することができる。その結果、サイネージ装置Ｓｓのディスプレイの画像に対して印刷要求があってから画像を印刷出力するまでの待ち時間を短縮して、利用性を向上させることができる。
【００９０】
さらに、本実施例のサイネージシステム１の画像形成装置Ｇｋは、前記データ送信手段としての出力Ｉ／Ｆ２６が、外部の前記表示手段としてのサイネージ装置Ｓｓへ前記表示用画像データを送信し、前記画像形成制御手段としての制御部２１が、前記サイネージ装置Ｓｓから前記印刷要求があると、前記表示画像データに対応する前記印刷用画像データに基づいてプリンタエンジン１２に画像形成させる。
【００９１】
したがって、画像形成装置Ｇｋが外部から受け取った画像データに基づいて、サイネージ装置Ｓｓのディスプレイに表示されている画像に対して印刷要求入力がタッチパネル等の操作部の操作等によって発生すると、画像形成装置Ｇｋが、自機の保有する該画像に対応する印刷用画像データに基づいて印刷することができる。その結果、サイネージ装置Ｓｓのディスプレイの画像に対して印刷要求があってから画像を印刷出力するまでの待ち時間を短縮して、利用性を向上させることができる。
【００９２】
また、本実施例のサイネージシステム１の画像形成装置Ｇｋは、データを保管する補助記憶部（データ保管手段）２３と、前記印刷用画像データ（画像形成用画像データ）を、前記表示用画像データとデータＩＤ（関連付け情報）で関連付けて前記補助記憶部２３に保管する制御部（データ保管制御手段）２１と、を備え、前記画像形成制御手段としての制御部２１が、前記データ送信手段である出力Ｉ／Ｆ２６の送信した前記表示画像データに対する印刷要求が外部からあると、該表示用画像データと前記データＩＤで関連付けられて補助記憶部２３に保管されている前記印刷用画像データに基づいてプリンタエンジン１２に画像形成させる。
【００９３】
したがって、画像形成装置Ｇｋは、補助記憶部２３に印刷用画像データとデータＩＤを保管することで、表示画像に対する印刷要求に応じて、補助記憶部２３に保管されている該表示画像に対応する印刷用画像データに基づいて、速やかにかつ容易に、印刷することができる。その結果、表示画像に対して印刷要求があってから画像を印刷出力するまでの待ち時間をより一層短縮して、利用性をより一層向上させることができる。
【００９４】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００９５】
１  サイネージシステム
ＮＷ  ネットワーク
Ｇｋ  画像形成装置
Ｓｓ  サイネージ装置
Ｈｓ  ホスト装置
１１  コントローラ
１２  プリンタエンジン
１３  操作パネル
２１  制御部
２２  主記憶部
２３  補助記憶部
２４  ネットワークＩ／Ｆ
２５  パネルＩ／Ｆ
２６  出力Ｉ／Ｆ
２７  バス
３１  ＰＤＬ解釈描画機能部
３２  蓄積印刷機能部
３３  サイネージ出力機能部
３４  記憶機能部
３５  蓄積データ呼出機能部
３６  印刷機能部
Ｔｂ  データ管理テーブル
Ｇ１  サイネージ設定画面
【先行技術文献】
【特許文献】
【００９６】
【特許文献１】特開２０１０−２１８４８９号公報
【特許文献２】特開２０１２−２２０９０６号公報
【図１】
2015056006.tif 000003
【図２】
2015056006.tif 000004
【図３】
2015056006.tif 000005
【図４】
2015056006.tif 000006
【図５】
2015056006.tif 000007
【図７】
2015056006.tif 000008
【図１１】
2015056006.tif 000009
【図１２】
2015056006.tif 000010
【図６】
2015056006.tif 000011
【図８】
2015056006.tif 000012
【図９】
2015056006.tif 000013
【図１０】
2015056006.tif 000014